(57)【要約】  セレクトジャックのバットを押圧するプレッサのうちに、割増やしへの切換え専用の可動式のプレッサを設けなくても、スライダの経路を確実に切換えることができる横編機を提供する。  Ａポジションに後行側のタックプレッサ４１ａのみを作用させ、ニットプレッサ２３ａを不作用に設定すると、Ａポジションへの選針でのニットと、Ｈポジションへの選針での割増やしとを切換えることができる。ニットプレッサ２３ａを作用に切換え、先行側のタックプレッサ４１ｂも作用させると、Ｈポジションへの選針では割増やしは行われず、タックに切換えることができる。【選択図】  図１
2009031315.tif 000002
【特許請求の範囲】
【請求項１】
一対の針床が歯口を挟んで前後に対向し、
各針床の針溝には、歯口側の先頭にフックを有する針本体と、歯口側の先頭付近にタングを有するスライダとを含み、針本体に対するスライダの相対移動でフックを開閉し、かつタングがフックを超えて歯口に進出して割増やしの動作が可能な複合針が収容され、
スライダには、間隔をあけて歯口に近い第一のバットと歯口から遠い第二のバットとが設けられる横編機において、
針床に沿って往復走行するキャリッジには、複合針の針本体およびスライダを操作するカムシステムが搭載され、
カムシステムは、
スライダの第二のバットを案内し、第二のバットが針溝内に沈められているか否かに応じて、針本体とともにスライダも歯口から後退させる経路と、針本体が歯口から後退してもスライダを歯口に残して割増やしの動作を行わせる経路とに、分岐させる分岐部を有するスライダ操作用カムと、
スライダ操作用カムの近傍で、スライダの第二のバットがスライダ操作用カムの分岐部にかかる時にスライダの第一のバットを押圧可能な位置に配置され、押圧する作用状態と、押圧しない不作用状態とを切換え可能な切換用プレッサとを、
含むことを特徴とする横編機。
【請求項２】
前記切換用プレッサは、前記不作用状態で、前記針本体が前記歯口から後退しても前記スライダを歯口に残して、前記割増やしの動作を行わせることを特徴とする請求項２記載の横編機。
【請求項３】
前記複合針は、前記歯口側とは反対側の基端部側で、前記キャリッジに搭載される選針機構による選針作用を受け、選針結果に応じて予め定め設定される複数の経路のうちの一つを通る押圧用のバットを有し、該経路に臨んで配置される押圧用プレッサで該バットが押圧されると、前記針本体駆動用バット、および前記スライダの少なくとも第二のバットが針溝内に沈められるように構成されており、
該押圧用プレッサのうちの少なくとも一つは、押圧用のバットを押圧するか否かで針本体の編成動作に関して切換え可能な可動式のプレッサであり、該可動式のプレッサが押圧用のバットを押圧する範囲内に、前記スライダの第二のバットが前記スライダ操作用カムの分岐部にかかる位置を含むことを特徴とする請求項１または２記載の横編機。
【請求項４】
前記可動式のプレッサは、前記針本体にタックの動作に関する切換えを行わせるタック用のプレッサであることを特徴とする請求項３載の横編機。
【請求項５】
前記キャリッジに搭載されるカムシステムは、前記針本体を前記歯口から後退させる際の度目値を大小に仕分け可能であり、
前記押圧用プレッサは、度目の大小を仕分ける度違い用の可動式のプレッサを含むことを特徴とする請求項３または４記載の横編機。
【請求項６】
前記押圧用の可動式のプレッサは、前記選針結果に応じて予め定め設定される複数の経路のうちの一つの経路のみに配置されることを特徴とする請求項３〜５のいずれか一つに記載の横編機。
【発明の詳細な説明】
【技術分野】
【０００１】
本発明は、編針として、スライダの操作で割増やしが可能な複合針を使用する横編機に関する。
【背景技術】
【０００２】
従来から、歯口を挟んで前後に対向する一対の針床を有する横編機では、前後の針床間での目移しを含む多様な編成が可能である。各針床の針溝に収容して編成動作を行わせる編針としては、べら針や複合針が使用される。複合針には、歯口側の先頭付近にタングを有する二枚のブレードを含むスライダと、先頭にフックを有する針本体とで構成されるものがある。このような複合針では、スライダの相対移動でフックを開閉、かつスライダのタングがフックを超えて歯口に進出して割増やしの動作が可能である（たとえば、特許文献１および特許文献２参照。）。【０００３】
複合針を使用する割増やしの動作は、針本体で新ループを形成する動作と、旧ループをスライダのタングで歯口内に保持する動作とを並行して行う。スライダのタングに保持された旧ループは、対向する針床の針本体のフックによって受取られる。割増やしで対向する針床に受取られる旧ループを利用して、編幅を内側から増やすことができる。割増やしを行った編針に対して、編幅の一方側に配置される編針に係止している編目を、目移しと針床の振りとで一目ずつ編幅の一方側にずらせば、一方側に隣接する編針を空き針にすることができる。対向する針床で受取られている旧ループを、形成した空き針に目移しすれば、編幅を一目増やすことができる。このような割増やしのためには、針本体に新ループを形成して歯口から後退させる際に、スライダは歯口に残しておく必要がある。特許文献２では、スライダに第二のバットを設け、針本体が歯口から後退する際に、スライダも追随して後退する妄動を防ぐようにしている。第二のバットは、スライダが歯口に残って割増やしの動作を行うように選択された後で、妄動を防止するように誘導する誘導カム手段の作用を受けるために設けられている。
【特許文献１】特許第２９１７１４６号公報
【特許文献２】特許第３２９２８３６号公報
【発明の開示】
【発明が解決しようとする課題】
【０００４】
特許文献１および特許文献２で使用する複合針も、歯口の反対側に選針用のセレクタ、および選針に応じた押圧用のセレクトジャックを有する。各複合針では、セレクタへの二段階の選針で、セレクトジャックがＡポジション、ＨポジションまたはＢポジションの三つのポジションのいずれかに設定される。この三つのポジションは、基本的にはニット、タックおよびミスの三つの基本的な編成動作が個別の編針毎に選択可能となるように設けられている。針本体を駆動するカムは、ニットの編成動作を行わせることを前提にしている。タックの編成動作は、セレクトジャックのバットを、ニットの編成動作では針本体が歯口に進出する区間で押圧することで達成される。ミスは、全区間でセレクトジャックのバットを押圧することで達成される。セレクトジャックのバットが押圧される区間では、セレクトジャックの作用で針本体やスライダの駆動用バットなどが針溝に沈められるので、針本体やスライダは、カムによる駆動を受けないようになる。【０００５】
特許文献２では、三つの基本的な編成動作を行う際にはニットに設定されるポジションに、セレクトジャックのバットを押圧するプレッサを設け、割増やしでスライダが誘導カム手段の作用を受ける経路に移行させる。ニットの編成動作として、針本体とともにスライダを引込む編成動作では、プレッサによる押圧は行わない。プレッサが可動式であっても、作用と不作用との切換えを編針毎に行うことはできないので、割増やしは、ニットとは別のポジションで行う必要がある。特許文献１および特許文献２に記載されているように、割増やしはニットと同一の編成コースで行われる。したがって、基本的な編成動作でニットに対応するポジションを残す場合は、タックに対応するポジションに割増やし用のプレッサを配置する。この場合、割増やしでは針本体がタックではなくニットの編成動作を行うので、ニットとタックとを切換えるために、タック用の可動式のプレッサを設ける必要がある。ニットに対応するポジションに割増やし用のプレッサを設ける場合も、タックに対応するポジションをニットで使用するために、タック用のプレッサを可動式にしなければならない。【０００６】
すなわち、セレクトジャックのバットを押圧するか否かで、スライダに対してニットか割増やしかを切換えるためには、専用の可動式のプレッサを追加しなければならず、タック用のプレッサも可動式にする必要がある。従来から、タック用には可動式のプレッサが使用されており、他にも可動式のプレッサが設けられて、多様な編成動作を実現可能にしている。しかしながら、可動式のプレッサはアクチュエータなどを収容する空間を必要とし、プレッサを配置するためのキャリッジ内空間には制限がある。【０００７】
本発明の目的は、セレクトジャックのバットを押圧するプレッサのうちに、割増やしへの切換え専用の可動式のプレッサを設けなくても、スライダの経路を確実に切換えることができる横編機を提供することである。
【課題を解決するための手段】
【０００８】
本発明は、
一対の針床が歯口を挟んで前後に対向し、
各針床の針溝には、歯口側の先頭にフックを有する針本体と、歯口側の先頭付近にタングを有するスライダとを含み、針本体に対するスライダの相対移動でフックを開閉し、かつタングがフックを超えて歯口に進出して割増やしの動作が可能な複合針が収容され、
スライダには、間隔をあけて歯口に近い第一のバットと歯口から遠い第二のバットとが設けられる横編機において、
針床に沿って往復走行するキャリッジには、複合針の針本体およびスライダを操作するカムシステムが搭載され、
カムシステムは、
スライダの第二のバットを案内し、第二のバットが針溝内に沈められているか否かに応じて、針本体とともにスライダも歯口から後退させる経路と、針本体が歯口から後退してもスライダを歯口に残して割増やしの動作を行わせる経路とに、分岐させる分岐部を有するスライダ操作用カムと、
スライダ操作用カムの近傍で、スライダの第二のバットがスライダ操作用カムの分岐部にかかる時にスライダの第一のバットを押圧可能な位置に配置され、押圧する作用状態と、押圧しない不作用状態とを切換え可能な切換用プレッサとを、
含むことを特徴とする横編機である。【０００９】
また本発明で、前記切換用プレッサは、前記不作用状態で、前記針本体が前記歯口から後退しても前記スライダを歯口に残して、前記割増やしの動作を行わせることを特徴とする。【００１０】
また本発明で、前記複合針は、前記歯口側とは反対側の基端部側で、前記キャリッジに搭載される選針機構による選針作用を受け、選針結果に応じて予め定め設定される複数の経路のうちの一つを通る押圧用のバットを有し、該経路に臨んで配置される押圧用プレッサで該バットが押圧されると、前記針本体駆動用バット、および前記スライダの少なくとも第二のバットが針溝内に沈められるように構成されており、
該押圧用プレッサのうちの少なくとも一つは、押圧用のバットを押圧するか否かで針本体の編成動作に関して切換え可能な可動式のプレッサであり、該可動式のプレッサが押圧用のバットを押圧する範囲内に、前記スライダの第二のバットが前記スライダ操作用カムの分岐部にかかる位置を含むことを特徴とする。【００１１】
また本発明で、前記可動式のプレッサは、前記針本体にタックの動作に関する切換えを行わせるタック用のプレッサであることを特徴とする。【００１２】
また本発明で、前記キャリッジに搭載されるカムシステムは、前記針本体を前記歯口から後退させる際の度目値を大小に仕分け可能であり、
前記押圧用プレッサは、度目の大小を仕分ける度違い用の可動式のプレッサを含むことを特徴とする。【００１３】
また本発明で、前記押圧用の可動式のプレッサは、前記選針結果に応じて予め定め設定される複数の経路のうちの一つの経路のみに配置されることを特徴とする。
【発明の効果】
【００１４】
本発明によれば、横編機の歯口の前後で対向する一対の針床の各針溝には、針本体とスライダとを含み、割増やしの動作が可能な複合針が収容される。スライダには間隔をあけて歯口に近い第一のバットと歯口から遠い第二のバットとが設けられる。針床に沿って往復走行するキャリッジには、スライダ操作用カムと切換用プレッサとを含むカムシステムが搭載される。スライダ操作用カムは、スライダの第二のバットを案内し、第二のバットが針溝内に沈められているか否かに応じて、針本体とともにスライダも歯口から後退させる経路と、針本体が歯口から後退してもスライダを歯口に残して割増やしの動作を行わせる経路とに、分岐させる分岐部を有する。切換用プレッサは、スライダ操作用カムの近傍で、スライダの駆動用のバットがスライダ操作用カムの分岐部にかかる時にスライダの補助のバットを押圧可能な位置に配置される。切換用プレッサは、押圧する作用状態と、押圧しない不作用状態とを切換え可能であるので、スライダの第一のバットへの押圧の有無で、分岐部で分岐するか否かを切換えることができ、割増やしへの切換えのためにセレクトジャックのバットを押圧するプレッサを設ける必要がなくなる。セレクトジャックではなく、スライダを直接押圧して切換えを行うので、針本体などへの影響が少ない状態で確実に切換えることができる。【００１５】
また本発明によれば、割増やしでは、切換用プレッサを不作用状態とし、針本体が歯口から後退してもスライダを歯口に残すことができる。【００１６】
また本発明によれば、複合針は、キャリッジに搭載される選針機構による選針作用を受け、選針結果に応じて予め定め設定される複数の経路のうちの一つを通る押圧用のバットを有する。押圧用の可動式のプレッサのうちの少なくとも一つは、スライダの第二のバットがスライダ操作用カムの分岐部にかかる時に、押圧用のバットを押圧する。切換用プレッサを不作用に設定しておき、この押圧用のプレッサが設けられる経路を押圧用のバットが通るように選針すれば、スライダを針本体とともに歯口から後退させることができる。切換用プレッサを不作用に設定して、この押圧用のプレッサが設けられる経路を押圧用のプレッサが通らないように選針すれば、スライダに割増やしの動作を行わせることができる。すなわち、切換用プレッサを不作用に設定しておけば、選針に応じて、割増やしと押圧用プレッサを作用させる編成動作とを切換えることができる。【００１７】
また本発明によれば、押圧用の可動式のプレッサとしてタックに用いるプレッサで、スライダの切換えも行うことができる。【００１８】
また本発明によれば、押圧用の可動式のプレッサとして、度目の大小を仕分ける度違い用のプレッサで、スライダの切換えも行うことができる。【００１９】
また本発明によれば、押圧用の可動式のプレッサを、選針結果に応じて予め定め設定される複数の経路のうちの一つの経路のみにまとめて配置して、編成動作を切換え可能とし、他の経路は固定した編成動作に割当てることができる。
【図面の簡単な説明】
【００２０】
【図１】図１は、本発明の実施の一形態として横編機１の主要な構成を示すように、部分的な側面図および平面図を組合わせた図である。
【図２】図２は、図１の横編機１の動作を示す部分的な平面図である。
【図３】図３は、図１の横編機１の動作を示す部分的な平面図である。
【図４】図４は、本発明の実施の他の形態として横編機５１の主要な構成を示すように、部分的な側面図および平面図を組合わせた図である。
【図５】図５は、図４の横編機５１の動作を示す部分的な平面図である。
【図６】図６は、図４の横編機５１の動作を示す部分的な平面図である。
【符号の説明】
【００２１】
１，５１  横編機
２  複合針
３，５３  カムシステム
１０  針本体
１０ａ  フック
１１  スライダ
１２  スライダ基体
１２ａ  第一のバット
１２ａＡ，１２ａＨ，１２ａＨ＆Ａ，１２ｂＡ，１２ｂＨ，１２ｂＨ＆Ａ，１４ｂＡ，１４ｂＨ，１４ｂＨ＆Ａ，１５ａＡ，１５ａＨ  軌跡
１２ｂ  第二のバット
１３  ブレード
１３ａ  タング
１４  ニードルジャック
１４ｂ，１５ａ  バット
１５  セレクトジャック
２０，５０  針本体操作用カム
２１  スライダ操作用カム
２２，５２  プレッサ部
２３  ニットプレッサ部
２３ａ，２３ｂ  ニットプレッサ
３９ａ，３９ｂ  スライダ分岐カム
【発明を実施するための最良の形態】
【００２２】
図１は、本発明の実施の一形態としての横編機１の主要部分の構成を示す。横編機１は、図示を省略する針床の針溝に、編針として複合針２を収容する。針床は、歯口を挟んで、少なくとも横編機１の前後に一対が対向して配置される。複合針２は、針床に沿って針溝とは垂直な方向に走行するキャリッジの地板に搭載されるカムシステム３で駆動される。カムシステム３は、基本的なニット、タックおよびミスの編成動作と、割増やしのためのスライダの動作とを行わせることができる。カムシステム３は、中心線３ａの両側が対称となるように構成され、図の左右の両側いずれへの移動でも、複合針２に同等の動作を行わせることができる。キャリッジには、カムシステム３の両側に、目移しに関する動作を行わせるためのカムシステムも配置されるけれども、図示を省略する。【００２３】
なお、複合針２をカムシステム３の左方に並べて図示しているのは、説明の便宜のためである。横編機１では、複合針２が収容される針溝に、カムシステム３が搭載されるキャリッジの地板が臨むように配置される。図１の紙面の上方は歯口に近づく方向であり、下方は歯口から遠ざかる方向である。複合針２が針溝内で浮く方向は紙面の右方であり、沈む方向は左方である。カムシステム３についての高低は、紙面から垂直に突出する方向についての高低に相当し、針溝に対しては沈む方向に相当する。【００２４】
複合針２は、左方が底部となるように、針溝に収容されている状態の先端側を示す。複合針２には針本体１０とスライダ１１とを含む。針本体１０は、歯口側の先端にフック１０ａを有し、尾部側には、凹所１０ｂを有する。スライダ１１は、スライダ基体１２と二枚のブレード１３との組合せで構成される。スライダ基体１２には、第一のバット１２ａと第二のバット１２ｂとが間隔をあけて立設される。第一のバット１２ａは、第二のバット１２ｂよりもフック１０ａ側、すなわち歯口に近い側に設けられ、針溝から突出する高さは、第二のバット１２ｂよりも低い。第二のバット１２ｂは、スライダ基体１２にバットが一つしか設けられない場合のバットに相当する。ブレード１３は、先端側にタング１３ａが形成され、スライダ基体１２に連動して、先端でフック１０ａの開閉を行う。スライダ１１は、タング１３ａがフック１０ａよりも先端側に出るまで進出させることもできる。【００２５】
針本体１０の尾部側の凹所１０ｂには、ニードルジャック１４の先端突起１４ａが嵌合する。ニードルジャック１４は、ほぼ中間の位置に針溝から突出するバット１４ｂを有し、尾部側は湾曲して針溝の底部に当接する弾性脚部１４ｃとなる。弾性脚部１４ｃの弾発力によって、バット１４ｂは針溝内で底部から浮上するように付勢される。スライダ基体１２の尾部側は、ニードルジャック１４のバット１４ｂから先端側に延びるように形成される腕部と弾性脚部１４ｃの延長部との間の空間に収容され、延長部に設けられる突起を介して、第一のバット１２ａおよび第二のバット１２ｂが針溝から浮上するように付勢される。ニードルジャック１４が針溝内で沈む時には、スライダ基体１２の尾部側もニードルジャック１４の腕部の押圧によって撓んで、少なくとも第二のバット１２ｂも針溝内に沈む。【００２６】
ニードルジャック１４の弾性脚部１４ｃは、セレクトジャック１５の先端部からの押圧を受ける。先端側の部分のみを示すセレクトジャック１５は、複合針２のさらに尾部側に設けられるセレクタなどへの選針作用を受けて、押圧用のバット１５ａの位置がＡ，Ｂ，Ｈの三つのポジションのうちのいずれかとなる。【００２７】
カムシステム３は、針本体操作用カム２０、スライダ操作用カム２１、プレッサ部２２およびニットプレッサ部２３を含む。針本体操作用カム２０は、レイジングカム３０、天山３１、ステッチカム３２ａ，３２ｂを含み、ニードルジャック１４のバット１４ｂを駆動する。【００２８】
レイジングカム３０は、針本体１０を歯口側に進出させる。レイジングカム３０の頂部３０ａ，３０ｂは二つに分れている。二つの頂部３０ａ，３０ｂは、中心線３ａに対して対称となる位置に、平坦な肩部３０ｃから天山３１側に突出して形成される。肩部３０ｃと、頂部３０ａ，３０ｂの外側の部分は、キャリッジの地板の表面から針床に臨む方向に、カムシステム３としての最大の高さであるフル高さを有している。フル高さを有する部分は、直交する斜めの破線を施して示す。頂部３０ａ，３０ｂが対向する内側の部分は、キャリッジの地板からフル高さまで、高さが変化する傾斜面となっているので、斜線を施して示す。右下がりの斜線は、左側が高く右側が低いことを示す。左下がりの斜線は、左側が低く右側が高いことを示す。肩部３０ｃの内側には、フル高さよりも低いハーフ高さの中間部３０ｄが設けられる。ハーフ高さを有する部分は、点が分散する領域として示す。レイジングカム３０の底部には、フル高さの基部３０ｅが設けられる。【００２９】
レイジングカム３０の頂部３０ａ，３０ｂの上縁と、天山３１の下縁との間には、ニードルジャック１４のバット１４ｂを案内するニット用の経路が形成される。この経路は、レイジングカム３０の両側の傾斜に沿って下降する。この経路に沿う針本体１０の引下げは、ステッチカム３２ａ，３２ｂの内側の傾斜面でバット１４ｂを案内して行われる。ステッチカム３２ａ，３２ｂは、度山とも呼ばれ、針本体１０の引下げ量を、度目値を変えて調整することができる。【００３０】
スライダ操作用カム２１は、スライダガイドカム３５，３６ａ，３６ｂ、スライダ上げカム３７、スライダ保持カム３８ａ，３８ｂおよびスライダ分岐カム３９ａ，３９ｂを含む。スライダガイドカム３５は中央に、スライダガイドカム３６ａ，３６ｂは左右に配置され、それぞれハーフ高さを有する。スライダガイドカム３５の下方の中央に、スライダ上げカム３７が設けられ、フル高さの部分と、傾斜面とを有する。両側のフル高さの部分の外周に沿って、スライダ上げカム３７は、スライダ基体１２の第二のバット１２ｂを歯口側に上昇させるように案内する。左右のスライダガイドカム３６ａ，３６ｂの下方には、フル高さのスライダ保持カム３８ａ，３８ｂがそれぞれ設けられる。スライダガイドカム３５の下方でスライダ上げカム３７の両側には、第二のバット１２ｂに対する分岐部となるスライダ分岐カム３９ａ，３９ｂがそれぞれ設けられる。【００３１】
スライダ分岐カム３９ａ，３９ｂは、横に延びるフル高さの部分の上側に、第二のバット１２ｂを外周に沿って案内するハーフ高さの分岐部と、分岐部に連なる傾斜面とを有する。第二のバット１２ｂが分岐部の外周に沿って案内されると、さらに傾斜面の外周に沿って側方に移動し、スライダガイドカム３６ａ，３６ｂとスライダ保持カム３８ａ，３８ｂの間の通路に導かれる。【００３２】
図の上下方向の二点鎖線で示すように、スライダ基体１２の第二のバット１２ｂがスライダ分岐カム３９ａ，３９ｂの分岐部に掛る位置の同位相の直線上には、第一のバット１２ａに作用するニットプレッサ部２３のニットプレッサ２３ａ，２３ｂがそれぞれ配置される。左右のニットプレッサ２３ａ，２３ｂには、実線で示す作用位置と、破線で示す不作用位置との間を、少なくとも後行側では切換え可能な可動式のプレッサを用いる。本実施形態では、一つのソレノイドを駆動源として共用し、左右のニットプレッサ２３ａ，２３ｂを連動して切換えるようにしている。ニットプレッサ２３ａ，２３ｂにはフル高さの部分が設けられ、作用位置で第一のバット１２ａを押圧する。第一のバット１２ａが押圧されると、第二のバット１２ｂが針溝に沈み、スライダ分岐カム３９ａ，３９ｂのハーフ高さの分岐部を乗越える。第二のバット１２ｂは、スライダ分岐カム３９ａ，３９ｂの外周に沿う案内ではなく、傾斜面に移行するように分岐する。傾斜面に移行した第二のバット１２ｂは、スライダ保持カム３８ａ，３８ｂの下側に形成されている傾斜した案内部に沿って案内され、歯口から後退するように引下げられる。【００３３】
プレッサ部２２は、Ｂポジションの経路に固定のミスプレッサ４０を有し、Ａポジションの経路に可動式のタックプレッサ４１ａ，４１ｂを有する。Ｈポジションの経路には、プレッサは設けられない。可動式のタックプレッサ４１ａ，４１ｂは、中心線３ａの両側に配置され、実線で示す作用位置と、破線で示す不作用位置との間で、それぞれ切換え可能な独立した可動式のプレッサである。セレクトジャック１５がＢポジションに選針されると、バット１５ａはミスプレッサ４０で押圧されてセレクトジャック１５は針溝内に沈む。ニードルジャック１４のバット１４ｂおよびスライダ基体１２の第二のバット１２ｂも針溝内に沈んで、バット１４ｂや第二のバット１２ｂは、針本体操作用カム２０やスライダ操作用カム２１の作用を受けなくなり、複合針２としてはミスの編成動作を行うことになる。【００３４】
図２および図３は、キャリッジが左行する場合についての図１の横編機１の動作を示す。キャリッジが右行する場合も、同様な動作を行う。
【００３５】
図２は、ニットと割増やしとを、選針で切換え可能な動作を示す。実線の軌跡は、共通部分と割増やしに対応する部分を示す。破線の軌跡は、ニットに対応する部分を示す。ニットは、Ａポジションへの選針で選択する。割増やしは、Ｈポジションへの選針で選択する。Ａポジションの経路に沿って設けられる二つのタックプレッサ４１ａ，４１ｂのうち、先行側のタックプレッサ４１ｂは不作用とし、後行側のタックプレッサ４１ａを作用とするように設定する。ニットプレッサ２３ａ，２３ｂは不作用に設定する。【００３６】
セレクトジャック１５をＨポジションに選針すると、バット１５ａは軌跡１５ａＨを通る間、プレッサによる押圧を受けない。ニードルジャック１４のバット１４ｂは、軌跡１４ｂＨ＆Ａとして示すように、先行側の頂部３０ｂを含むレイジングカム３０の外周に沿って案内され、山型の経路を通る。頂部３０ｂの外周に沿う案内で針本体１０のフック１０ａは、ブレード１３のタング１３ａよりも歯口に進出する。フック１０ａが編目ループを係止していれば、編目ループはフック１０ａ内からクリアされ、タング１３ａに移行する。【００３７】
頂部３０ｂを過ぎると、ニードルジャック１４のバット１４ｂは、天山３１の下部中央の下向きの山の外周に沿って下降する。レイジングカム３０の後行側の頂部３０ａでは、傾斜面に掛るので、バット１４ｂは外周に沿うようには案内されず、傾斜面を乗越えて右方に移行する。バット１４ｂが天山の下部両側の脚部やステッチカム３２ａの案内部に掛ると、下方に傾斜する経路で案内されてフック１０ａは歯口から後退する。キャリッジにヤーンフィーダなどの給糸部材が追従していれば、フック１０ａが歯口から後退する前に、編糸がフック１０ａ内に供給される。フック１０ａが歯口から後退するように、バット１４ｂがステッチカム３２ａの案内部で引下げられると、フック１０ａに供給された編糸で新たな編目ループが形成される。フック１０ａには新ループが形成され、タング１３ａに移行した編目ループは旧ループとなる。【００３８】
セレクトジャック１５をＡポジションに選針すると、バット１５ａはタックプレッサ４１ａの作用を受け、ニードルジャック１４のバット１４ｂを針溝に沈める。ただし、この区間は、バット１５ａが後行側の頂部３０ａに掛る区間であり、バット１５ａが針溝に沈んでいても、バット１４ｂは軌跡１４ｂＨ＆Ａとして示すＨポジションと同一の経路を通る。すなわち、針本体１０は、ＨポジションでもＡポジションでも同一の編成動作を行う。【００３９】
ＡポジションおよびＨポジションのいずれの選針でも、ニードルジャック１４のバット１４ｂがレイジングカム３０によって歯口側に上昇させられると、スライダ基体１２も突上げられる。スライダ基体１２の第二のバット１２ｂは、スライダ分岐カム３９ｂとスライダ上げカム３７との間を通り、スライダ上げカム３７の左側の外周に沿って歯口側に上昇する。第二のバット１２ｂは、スライダガイドカム３５の下縁中央で少し下げられ、スライダ上げカム３７の右側の傾斜面を横に乗越えて、スライダ分岐カム３９ａの分岐部に至る。【００４０】
分岐部では、Ｈポジションのセレクトジャック１５のバット１５ａはプレッサによる押圧を受けない。スライダ基体１２の第一のバット１２ａも、ニットプレッサ２３ａによる押圧を受けないので、第二のバット１２ｂは、スライダ分岐カム３９ａの分岐部の外周に沿って案内され、スライダガイドカム３６ａとスライダ保持カム３８ａとの間の経路に導かれ、スライダ１１は実線で示す軌跡１２ｂＨに沿ってタング１３ａを歯口に進出させた状態を保ち、旧ループはタング１３ａが歯口に進出している状態で保持される。タング１３ａに保持されている旧ループは、後続の編成コースで対向する針床側から歯口に進出するフック１０ａに移行させるとともにタング１３ａからは離脱させ、割増やすことができる。【００４１】
セレクトジャック１５のバット１５ａがＡポジションに選針されていると、バット１５ａがタックプレッサ４１ａによって押圧される結果、破線で示す経路１２ｂＡに沿ってスライダ基体１２の第二のバット１２ｂが案内され、ニットの編成動作に対応して歯口から後退する。スライダ基体１２が歯口から後退する際に、タング１３ａに保持されている旧ループはブレード１３の先端から離脱し、ノックオーバする。スライダ基体１２の第一のバット１２ａは、第二のバット１２ｂの軌跡１２ｂＨ，１２ｂＡにそれぞれ対応して、軌跡１２ａＨ，１２ａＡに沿って移動する。【００４２】
図２に示すように、Ａポジションに後行側のタックプレッサ４１ａのみを作用させ、ニットプレッサ２３ａを不作用に設定すると、ニットと割増やしとを切換えることができる。すなわち、Ａポジションの選針でニットの編成動作に、Ｈポジションの選針で割増やしの動作に、それぞれ編針毎に切換えることができる。また、スライダ基体１２の第二のバット１２ｂを割増やしの経路に切換えると、スライダ分岐カム３９ａ，３９ｂの上側の外周に沿って案内されるので、針本体１０が歯口から後退する際に、妄動で後退するのを防ぐこともできる。【００４３】
図３は、割増やしを行わないで、ニットとタックとを切換え可能な動作を示す。Ａポジションでは、二つのタックプレッサ４１ａ，４１ｂを両方とも作用させる。ニットプレッサ２３ａも作用させる。セレクトジャック１５をＨポジションに選針するときのニードルジャック１４のバット１４ｂの軌跡１４ｂＨは、レイジングカム３０の先行側の頂部３０ｂに沿って山型の経路を通る。Ａポジションでのバット１４ｂの軌跡１４ｂＡは、頂部３０ｂを乗越えて肩の高さを維持する。バット１４ｂが後行側の頂部３０ａを乗越え、ステッチカム３２ａの傾斜に沿って下降する軌跡１４ｂＨ＆Ａは共通となる。【００４４】
タックプレッサ４１ｂによる押圧の有無で、レイジングカム３０の先行側の頂部３０ｂについて、ニードルジャック１４のバット１４ｂの経路が軌跡１４ｂＨと軌跡１４ｂＡとに切換えられる。これに対応して、スライダ基体１２の第二のバット１２ｂの経路も軌跡１２ｂＨと軌跡１２ｂＡとに切換えられる。破線で示す軌跡１２ｂＡでは、針本体１０がフック１０ａに係止する編目ループをクリアするまでは歯口に進出しないので、スライダ１１も歯口に進出するようには駆動されない。実線で示す軌跡１２ａＨでは、フック１０ａが編目ループをクリアするように歯口に進出するのに伴ってスライダ１１も歯口に進出した後、スライダ分岐カム３９ａの分岐部で第一のバット１２ａがニットプレッサ２３ａで押圧され、スライダ１１は歯口から後退する軌跡１２ｂＡに従って下降する。【００４５】
すなわち、選針がＨポジションであればニットの編成動作を行い、選針がＡポジションであればタックの編成動作を行う。Ｂポジションではミスの編成動作を行うので、ニットプレッサ２３ａを作用させることで、ニット、タック、ミスの三つの基本的な編成動作を切換え可能にすることができる。三つの編成動作を切換えるだけであれば、タックプレッサ４１ａ，４１ｂとして固定式のプレッサを用いることもできる。しかしながら、割増やしも切換え可能にするためには、少なくともタックに対するプレッサを可動式にする必要がある。また、可動式のタックプレッサ４１ａ，４１ｂとともに、可動式のニットプレッサ２３ａ，２３ｂを併用しないと、図２のようにニットで割増やしを切換え可能とし、図３のように、割増やしは行わないでニットとタックとを切換え可能にすることはできない。【００４６】
図４は、本発明の実施の他の形態としての横編機５１の主要部分の構成を示す。図４で図１と対応する部分には同一の参照符を付し、重複する説明を省略する場合がある。【００４７】
横編機５１でも、横編機１と同様な複合針２を使用する。横編機５１では、針本体操作用カム５０およびプレッサ部５２を横編機１と異ならせ、度違いの切換えも可能にする。このため、キャリッジに搭載されるカムシステム５３のステッチカム６０ａ，６０ｂには、ハーフ高さの基部６１とフル高さの度違い部６２とが可動なものを使用する。図４の左側のステッチカム６０ｂとして示すように、基部６１の下端に度違い部６２を合わせると、度違い量は０となる。度違い量が０となると、実質的には、図１のステッチカム３２ａ，３２ｂと同様に一種類の度目値のみに対応して針本体１０の引下げを行う。図４の右側のステッチカム６０ａとして示すように、度違い部６２を基部６１の下端からずらせると、度違い編成を可能にすることができる。ただし、セレクトジャック１５のバット１５ａに対するＡポジションには、タックプレッサ４１ａ，４１ｂの両側に可動式の度違いプレッサ６３ａ，６３ｂを追加する。【００４８】
図５および図６は、キャリッジが左行する場合について、図４の横編機５１の主要な動作を示す。ただし、度違いプレッサ６３ａ，６３ｂを不作用に設定し、ステッチカム６０ａ，６０ｂを度違い量０に設定すれば、図１の横編機１と同様な、割増やしを含む動作を行わせることができる。【００４９】
図５は、ニット編成で、度目の大小を仕分けて粗目ニットと並目ニットとを切換える動作を示す。Ｈポジションのプレッサは、先行側の度違いプレッサ６３ｂおよびタックプレッサ４１ｂを不作用とし、後行側のタックプレッサ４１ａおよび度違いプレッサ６３ａを作用に設定する。ニットプレッサ２３ａは作用に設定する。【００５０】
スライダ基体１２の第二のバット１２ｂは、軌跡１２ｂＨ＆Ａとして示すように、セレクトジャック１５がＨポジションでもＡポジションでも同一の軌跡を通る。すなわち、スライダ１１のタング１３ａは、一旦、歯口に進出した後で、歯口から後退する。第二のバット１２ｂがスライダ分岐カム３９ａの分岐部に掛る位置で、Ｈポジションではニットプレッサ２３ａによる第一のバット１２ａへの押圧のみが行われる。Ａポジションでは後行側のタックプレッサ４１ａによるセレクトジャック１５のバット１５ａへの押圧も加わる。いずれのポジションでも、第二のバット１２ｂがスライダ分岐カム３９ａの分岐部に掛ると、ハーフ高さの分岐部を乗越え、スライダ１１を下降させる経路に案内される。【００５１】
針本体１０の引下げ量を変化させて度目を切換える動作は、Ａポジションで作用する度違いプレッサ６３ａによって行われる。Ｈポジションでは、実線で示す軌跡１４ｂＨのように、ニードルジャック１４のバット１４ｂは、ステッチカム６０ａの基部６１の外周に沿って下端まで下降する。Ａポジションでは、破線で示す軌跡１４ｂＡのように、バット１４ｂはフル高さの度違い部６２の下端までしか下降しないで、ハーフ高さの基部６１は乗越える。【００５２】
図６は、ニットと度違いのタックとを切換える動作を示す。Ａポジションでは、先行側の度違いプレッサ６３ｂを不作用、先行側のタックプレッサ４１ｂ、後行側のタックプレッサ４１ａ、および後行側の度違いプレッサ６３ａを作用に設定する。ニットプレッサ２３ａも作用に設定する。Ｈポジションでは、実線で示す軌跡１４ｂＨ，１２ｂＨに従って、針本体１０およびスライダ１１はニットに対応する編成動作を行う。Ａポジションでは、針本体１０は、破線で示す軌跡１４ｂＡに対応して、レイジングカム３０の先行側の頂部３０ｂを乗越えてタックの動作を行い、ステッチカム６０ａでは基部６１を乗越えて度違いの動作を行う。すなわち、Ａポジションではタック度違いの編成動作を行う。スライダ１１は、実線で示す軌跡１２ｂＨのようにニットでは歯口に進出してから下降し、破線で示す軌跡１２ｂＡのようにタックでは歯口に進出しない。【００５３】
図１のカムシステム３および図４のカムシステム５３では、目移しに関するカムを含まない。カムシステム３，５３の構成では、割増やしの前段階として、スライダ１１のタング１３ａで歯口に旧ループを保持させることはできるけれども、対向する針床側で旧ループを受けることはできない。本実施形態では、後続するカムシステムに目移し用のカムを備えさせて、割増やしや目移しの動作を実現する。特許文献２の図５などと同様に、カムシステム３，５３でも、目移しに関するカムを追加すれば、割増やしを行うカムと、目移しを行うカムとを併用することもできる。【００５４】
たとえば、セレクトジャック１５のバット１５ａに対するＨポジションの経路で、スライダ分岐カム３９ａ，３９ｂに対応する位相にプレッサを設ければ、ニットプレッサ部２３は設けなくてもよい。ただし、プレッサ部２２，５２に多くのプレッサが集中して、配置が密になってしまう。セレクトジャック１５のバット１５ａに作用するプレッサ部２２，５２とは別に設けるニットプレッサ２３ａ，２３ｂをスライダ基体１２の第一のバット１２ａに作用させるので、割増やしに関するプレッサ部２２，５２の構成は簡略化させることができる。また、ニットプレッサ２３ａ，２３ｂは、スライダ基体１２の第一のバット１２ａに直接作用させるので、ニードルジャック１４に対する影響が少ない状態で、bスライダ基体１２の第二のバット１２ｂを針溝に沈めることができる。
【図１】
2009031315.tif 000003
【図２】
2009031315.tif 000004
【図３】
2009031315.tif 000005
【図４】
2009031315.tif 000006
【図５】
2009031315.tif 000007
【図６】
2009031315.tif 000008
【国際調査報告】
2009031315.tif 000009
2009031315.tif 000010
2009031315.tif 000011